(57)【特許請求の範囲】
【請求項１】
一方の手摺り本体の一端に設けられた凸型連結具と他方の手摺りの一端に設けられた凹型連結具が回動自在に軸着された手摺りの連結構造に於いて、凸型連結具は手摺り本体に取着される基部とこの基部に突設された凸部からなり、この凸部は球体の上下が欠除された円盤状の形状となされ、凹型連結具は手摺り本体に取着される基部とこの基部に突設された凹部からなり、この凹部は球体の中央が円盤状に欠除された形状となされ、凸型連結具の凸部が凹型連結具の凹部に挿入されて凸部と凹部を貫通する連結軸により回動自在に連結され、連結された凸部と凹部により球体が形成されたことを特徴とする手摺りの連結構造。
【発明の詳細な説明】
【０００１】
【発明の属する技術分野】
本発明は、手摺りの連結構造に関し、特に非直線的に手摺りを連結するときに好適な手摺りの連結構造に関する。
【０００２】
【従来の技術】
従来、階段や廊下或いは浴室などの屋内、屋外に設けられる手摺りの連結構造として、実開昭６４−２７３３２号公報に横筒状のジョイント構成体の先部に下半分よりなる連結部を突出形成し、該連結部の前半部外形を、球体の４分の１の球面に形成し、連結部の後半部の上半部には、内面に、前記球面が嵌合する球面を有する突片を前方へ突出形成し、このようなジョイント構成体を一対用いて、一方のジョイント構成体における連結部の先端球面を他方のジョイント構成体における突片の内球面に嵌合して両ジョイント構成体を接合し、該両ジョイント構成体を、その連結部の中心部にボルトを挿通して回転自在に連結した手摺り用コーナジョイントが提案されている。
【０００３】
【発明が解決しようとする課題】
しかしながら上記の如き手摺り用コーナージョイントによる手摺りの連結構造に於いては、一対のジョイント構成体の連結部が互いに当接されて連結されているので、連結部に捻りモーメントがかかったとき連結部がズレ易いという問題があった。
【０００４】
そこで本発明者は従来の欠点に鑑み鋭意研究の結果、構造強度に優れ、手摺りを任意の角度で接合することができる手摺りの連結構造を提供するものである。
【０００５】
【課題を解決するための手段】
本発明手摺りの連結構造は、一方の手摺り本体の一端に設けられた凸型連結具と他方の手摺りの一端に設けられた凹型連結具が回動自在に軸着された手摺りの連結構造に於いて、凸型連結具は手摺り本体に取着される基部とこの基部に突設された凸部からなり、この凸部は球体の上下が欠除された円盤状の形状となされ、凹型連結具は手摺り本体に取着される基部とこの基部に突設された凹部からなり、この凹部は球体の中央が円盤状に欠除された形状となされ、凸型連結具の凸部が凹型連結具の凹部に挿入されて凸部と凹部を貫通する連結軸により回動自在に連結され、連結された凸部と凹部により球体が形成されたもので、凸型連結具の凸部が凹型連結具の凹部に挟持されて連結されるので、構造強度に優れ、連結部に捻りモーメントがかかったときにも連結部がズレ難い。
【０００６】
【発明の実施の形態】
以下、図面を参照しながら本発明に付いて説明する。
図１は本発明手摺りの連結構造における連結部の実施形態の一例を示す（イ）は平面図、（ロ）は正面図である。
【０００７】
１は凸型連結具であり、基部１１は一方が開口する円筒形状の開口部１２となされ、この基部１１の開口部１２内径は手摺り本体の外形と略同形となされている。この基部１１の開口部１２に手摺り本体の端部が挿入され、手摺り本体の端部に凸型連結具１が取りつけられる。基部１１の他端には球体の上下が欠如された円盤状の凸部１３が形成されている。この凸部１３の中央には透孔１４が穿設され、連結孔となされている。又、この凸部１３の上下には、球面状凹部１５が形成され、この球面状凹部１５の一側が切り欠かれている。
【０００８】
２は凹型連結具であり、基部２１は一方が開口する円筒形状の開口部２２となされ、この基部２１の開口部２２の内径は手摺り本体の外形と略同形となされている。この基部２１の開口部２２に手摺り本体の端部が挿入され、手摺り本体の端部に凹型連結具２が取りつけられる。基部２１の他端には球体の中央が円盤状に欠除されて凹部２３となされている。この凹部２３を構成する上部の半球状体の中央には透孔が穿設され、この透孔の開口縁部には皿孔２４が形成されている。又、下部の半球状体の中央には下端が封止された封止孔２５が形成されている。又、この凹部２３の中央には、球面状凹部２６が形成され、この球面状凹部２６の一側が切り欠かれている。
【０００９】
手摺りの連結に於いては、一方の手摺りの端部に設けられた凹型連結具２の凹部２３に他方の手摺りの端部に設けられた凸型連結具１の凸部１３が挿入され、凹部２３の上端から皿ビスが挿入され、凹部２３の下部に螺着され、互いに重なり合った凸部１３と凹部２３が皿ビスを連結軸として、回動自在に軸着される。互いに重なり合った凸部１３と凹部２３は球を形成し、互いの連結具が任意の角度で連結されたときにも連結部の形状が変わらない。手摺りの使用の際、手摺り上に手を滑らせたときにも、連結部に鋭角突部がなく、安全で、手触りがよい。
【００１０】
図２は本発明手摺りの連結構造における連結部の実施形態の他の例を示す（イ）は平面図、（ロ）は正面図である。
【００１１】
１は凸型連結具であり、基部１１は一方が開口する円筒形状の開口部１２となされ、この基部１１の開口部１２内径は手摺り本体の外形と略同形となされている。又、この基部１１の底面には支持部が形成されている。この支持部が壁面などに取着されて、手摺りが取り付けられる。この基部１１の開口部１２に手摺り本体の端部が挿入され、手摺り本体の端部に凸型連結具１が取りつけられる。基部１１の他端には球体の上下が欠除された円盤状の凸部１３が形成されている。この凸部１３の中央には透孔１４が穿設され、連結孔となされている。又、この凸部１３の上下には、球面状凹部１５が形成され、この球面状凹部１５の一側が切り欠かれている。
【００１２】
２は凹型連結具であり、基部２１は一方が開口する円筒形状の開口部２２となされ、この基部２１の開口部２２の内形は手摺り本体の外形と略同形となされている。この基部２１の開口部２２に手摺り本体の端部が挿入され、手摺り本体の端部に凹型連結具２が取りつけられる。又、この基部２１の底面には支持部３が形成されている。この支持部３が壁面などに取着されて、手摺りが取り付けられる。基部２１の他端には球体の中央が円盤状に欠除されて凹部２３となされている。この凹部２３を構成する上部の半球状体の中央には透孔が穿設され、この透孔の開口縁部には皿孔２４が形成されている。又、下部の半球状体の中央には下端が封止された封止孔２５が形成されている。又、この凹部２３の中央には、球面状凹部２６が形成され、この球面状凹部２６の一側が切り欠かれている。
【００１３】
【発明の効果】
上述の如く、本発明手摺りの連結構造は、一方の手摺り本体の一端に設けられた凸型連結具と他方の手摺りの一端に設けられた凹型連結具が回動自在に軸着された手摺りの連結構造に於いて、凸型連結具は手摺り本体に取着される基部とこの基部に突設された凸部１３からなり、この凸部は球体の上下が欠除された円盤状の形状となされ、凹型連結具は手摺り本体に取着される基部とこの基部に突設された凹部からなり、この凹部は球体の中央が円盤状に欠除された形状となされ、凸型連結具の凸部が凹型連結具の凹部に挿入されて凸部と凹部を貫通する連結軸により回動自在に連結され、連結された凸部と凹部により球体が形成されたもので、凸型連結具の凸部が凹型連結具の凹部に挟持されて連結されるので、構造強度に優れ、連結部に捻りモーメントがかかったときにも連結部がズレ難い。又、連結される手摺りが任意の角度で連結でき、連結角度にかかわらず、連結部の形状が変わらない。又、連結部に球体が形成されるので、手摺りの使用の際、手摺り上に手を滑らせたときにも、連結部に鋭角凸部がなく、安全で、手触りがよい。
【図面の簡単な説明】
【図１】本発明手摺りの連結構造における連結部の実施形態の一例を示す（イ）は平面図、（ロ）は正面図である。
【図２】本発明手摺りの連結構造における連結部の実施形態の他の例を示す（イ）は平面図、（ロ）は正面図である。
【符号の説明】
１    凸型連結具
１１  基部
１２  開口部
１３  凸部
１４  透孔
１５  球面状凹部
２    凹型連結具
２１  基部
２２  開口部
２３  凹部
２４  皿孔
２５  封止孔
２６  球面状凹部
３    支持部
【図１】
0003723026.tif 000002
【図２】
0003723026.tif 000003